(57)【特許請求の範囲】
【請求項１】
車両の駆動滑りを制御する制御システムにおいて、
スリップしている駆動輪が滑りしきい値を超えたときに、該駆動輪にブレーキを掛けるブレーキ調整手段と、
車両の駆動輪の滑りしきい値を調整する手段であって、摩擦係数が低い走行路でのカーブ走行中に、カーブ外側の駆動輪の滑りしきい値を、カーブ内側の駆動輪の滑りしきい値とは独立して低下させる滑りしきい値調整手段と、
カーブ外側の駆動輪のブレーキ圧の圧力発生勾配を、カーブ内側の駆動輪のブレーキ圧の圧力発生勾配よりも強く高める圧力発生勾配制御手段と
を備えていることを特徴とする制御システム。
【請求項２】
請求項１記載の制御システムにおいて、滑りしきい値調整手段は、カーブ外側の駆動輪の滑りしきい値を、走行路の静摩擦係数、車両速度、及びカーブの半径の少なくとも一つに依存して低下させることを特徴とする制御システム。
【請求項３】
請求項１又は２記載の制御システムにおいて、滑りしきい値調整手段は、カーブ外側の駆動輪の滑りしきい値を、カーブ内側の駆動輪の滑りしきい値よりも低下させることを特徴とする制御システム。
【請求項４】
請求項１−３いずれかに記載の制御システムにおいて、圧力発生勾配制御手段は、カーブ外側の駆動輪のブレーキ圧の圧力発生勾配を、静摩擦係数又は車両速度に依存して増大することを特徴とする制御システム。
【請求項５】
請求項１−４いずれかに記載の制御システムにおいて、カーブ外側の駆動輪のスリップがその滑りしきい値を超える前に、該駆動輪のブレーキに、圧力勾配制御手段により増大されたブレーキ圧が供給されることを特徴とする制御システム。
【請求項６】
請求項１−５いずれかに記載の制御システムにおいて、圧力発生勾配制御手段は、カーブ外側の駆動輪のブレーキ圧の圧力減少勾配を、カーブ内側の駆動輪のブレーキ圧の圧力減少勾配よりも低下させることを特徴とする制御システム。
【請求項７】
車両の駆動滑りを制御する制御方法において、
スリップしている駆動輪が滑りしきい値を超えたときに、ブレーキ調整手段によって該駆動輪にブレーキを掛けるステップと、
車両がカーブ走行状態であるかどうかを判定するステップと、
車両の走行路の摩擦係数を判定するステップと、
カーブ走行中でかつ摩擦係数が低い走行路で走行中であると判定された場合に、カーブ外側の駆動輪の滑りしきい値を、カーブ内側の駆動輪の滑りしきい値とは独立して低下させるステップと、
カーブ外側の駆動輪のブレーキ圧の圧力発生勾配を、カーブ内側の駆動輪のブレーキ圧の圧力発生勾配よりも強く高めるステップと
を備えていることを特徴とする制御方法。
【請求項８】
請求項７記載の制御方法において、カーブ外側の駆動輪の滑りしきい値は、走行路の静摩擦係数、車両速度、及びカーブの半径の少なくとも１つに依存して低下させることを特徴とする制御方法。
【請求項９】
請求項７又は８記載の制御方法において、カーブ外側の駆動輪の滑りしきい値は、カーブ内側の駆動輪の滑りしきい値よりも低下されることを特徴とする制御方法。
【請求項１０】
請求項７−９いずれかに記載の制御方法において、カーブ外側の駆動輪のブレーキ圧の圧力発生勾配は、静摩擦係数又は車両速度に依存して増大されることを特徴とする制御方法。
【請求項１１】
請求項７−１０いずれかに記載の制御方法において、カーブ外側の駆動輪のスリップがその滑りしきい値を超える前に、該駆動輪のブレーキに、増大されたブレーキ圧が供給されることを特徴とする制御方法。
【請求項１２】
請求項７−１１いずれかに記載の制御方法において、カーブ外側の駆動輪のブレーキ圧の圧力減少勾配は、カーブ内側の駆動輪のブレーキ圧の圧力減少勾配よりも低下されることを特徴とする制御方法。
【発明の詳細な説明】
【０００１】
【発明の属する技術分野】
本発明は、ブレーキ装置を備えた駆動滑り制御（ＡＳＲ）装置、およびこれに対応する制御方法に関する。
【０００２】
【従来の技術】
ＡＳＲは主として、始動および加速時に自動車の安定性と操舵性を保証し、かつ特に滑り易い走行路上での運転技術に関してドライバをサポートするという目的を有している。この目的のため、滑りしきい値を超えた場合、スリップした車輪はブレーキが掛かることによって制動され、エンジントルクはそのつど道路に伝達可能な駆動トルクに適応される。
【０００３】
静摩擦係数が低い走行路でのカーブ走行時に、充分なサイドガイドを得るためにカーブ内側とカーブ外側の駆動輪の滑りしきい値を低下させることは既知である。危険性が低いカーブでも充分な推進力を発生できるようにするため、滑りしきい値の低下は限定された範囲で行われる。
【０００４】
滑りしきい値をこのように調整する結果、特にカーブ外側の駆動輪では許容されるスリップが比較的高いので、最大可能なサイドガイドを活用できず、自動車の安定性を充分に改善することができない。
【０００５】
カーブ内側の駆動輪は、車輪負荷の動的な移行によって（カーブ内側の車輪はカーブでは負荷が軽減され、カーブ外側の車輪には動的に負荷がかかる）、一般に横加速度が少ない時点で既にスリップ状態になるので、ブレーキはカーブ内側の車輪でのスリップを除去するように作用するだけではなく、それによってある種のトルク（いわゆるロッキングトルク）をカーブ外側の車輪に伝達もする。このロッキングトルクには、カーブ外側の車輪でのスリップを再び「クリープで」（すなわち少ない動力学で）高め、ひいては補助的にサイドガイドを低下させる作用がある。それによって、カーブ外側の車輪は制動不足状態で過度に長くスリップ状態に留まり、したがって最大可能なサイドガイドの一部しか伝達しない。
【０００６】
【発明が解決しようとする課題】
したがって、本発明の課題は、摩擦係数が低い走行路でのカーブ走行時に、車両安定性を改善できる駆動滑り制御装置、およびこれに対応する制御方法を提供することにある。
【０００７】
【課題を解決するための手段】
本発明によれば、スリップした車輪が、滑りしきい値を超えるときにブレーキが掛かることによって制動される、特に自動車用のためのブレーキ装置を備えた駆動滑り制御装置において、摩擦係数が低い走行路でのカーブ走行時に、カーブ外側の駆動輪の滑りしきい値が、カーブ内側の駆動輪の滑りしきい値とは独立して低下され、且つカーブ内側の車輪の滑りしきい値より低い値に調整される。
【０００８】
また、本発明によれば、スリップした駆動輪が、滑りしきい値を超えるときにブレーキが掛けられることによって制動される、特に自動車のための駆動滑り制御方法において、自動車がカーブ走行状態にあるか否かを判定するステップと、走行路の摩擦係数を判定するステップと、摩擦係数の低い走行路でのカーブ走行状態にあることが確認されると、カーブ外側の車輪の滑りしきい値が、カーブ内側の車輪の滑りしきい値よりも低い値へと個別に低下されるステップと、を含む。
【０００９】
本発明の基本的な構想は、摩擦係数が低い路面でのカーブ走行時に、カーブ外側の車輪の滑りしきい値がカーブ内側の車輪の滑りしきい値とは別個に低下され、カーブ内側の車輪の滑りしきい値より低い値に調整されるように、ブレーキ装置を備えた駆動滑り制御装置を構成することにある。それによって、ＡＳＲ制御は、車輪スリップが極めて僅かな場合でも開始され、したがって、より良好な自動車のサイドガイドを得ることができる。カーブ内側の駆動輪の滑りしきい値が相対的に高いので、更にカーブ外側の車輪にはより少ないロッキングトルクが伝達される。
【００１０】
カーブ内側の車輪の滑りしきい値は必ずしも低下されるだけではなく、カーブ外側の車輪に伝達されるロッキングトルクを下げるために場合によっては上昇されることもある。
【００１１】
自動車が摩擦係数の低い走行路でカーブ走行状態にあるか否かを検知するため、ＡＳＲはカーブ検知、および摩擦係数検知手段を含んでいる。カーブ走行の検知は、例えば非駆動輪の速度差を介して行われる。
【００１２】
摩擦係数の検知は、例えば横加速度センサによって行うことができる。発生する横加速度は走行路の静摩擦係数の指標である。（例えば、０．３５未満の）低い静摩擦係数は、例えば横加速度が、約５．５ｍ／ｓ2以上であれば回避することができる。支配的な静摩擦係数は、例えば、特に横加速度が低い場合にカーブ外側の車輪対で発生するスリップを介しても定量的に検知することができる。
【００１３】
本発明の好適な実施形態によって、カーブ外側の駆動輪の滑りしきい値は、判定された静摩擦係数に依存して低下され、その際に滑りしきい値は静摩擦係数の低下と共に低く調整される。
【００１４】
カーブ外側の駆動輪の滑りしきい値は車両速度に依存して低下させることもでき、その際に滑りしきい値は車両速度の増加と共に低く調整される。
カーブ外側の駆動輪の滑りしきい値は、選択的にカーブ半径および車両速度に依存して変更することも可能である。
【００１５】
滑りしきい値を個別に適応させることの他に、補足的にカーブ外側の駆動輪のブレーキ圧の圧力発生勾配をカーブ内側の駆動輪とは別個により高い値に調整することができる。それによってカーブ外側の駆動輪はＡＳＲ制御の初期段階から既に強く制動され、最小限のスリップしか生じない。
【００１６】
圧力発生勾配は、判定された静摩擦係数および／または車両速度に依存して変更することができ、その際に、圧力発生勾配は静摩擦係数の減少、および車両速度の増加と共に高められる。
【００１７】
滑りしきい値および／または圧力発生勾配の変更は、装置内に記録されている特性曲線または表を用いて行うことができ、または計算によって実施することができる。
【００１８】
本発明の好適な実施形態では、低摩擦係数の路面でのカーブ走行を検知した直後に、好適にはカーブ外側の駆動輪が滑りしきい値を超える前に、高められたブレーキ圧がカーブ外側のブレーキに供給され、これがブレーキライニングをブレーキディスクにしっかり当接させ、それによって必要時にブレーキ圧を自発的に発生させることができる。これは、いわゆる３ないし１０バールの圧力、特に４ないし８バールの圧力のチャージパルスによって行われる。
【００１９】
本発明の特別な構成では更に、カーブ外側の駆動輪のブレーキの圧力発生勾配は、カーブ内側の車輪と比較して低下させる。それによってカーブ外側の車輪対は最小限のスリップでの全カーブ走行が可能になり、ひいては最大可能なサイドガイドが保証される。
【００２０】
動作モード「低摩擦係数カーブ」、すなわち個々の滑りしきい値の調整は、好適には高摩擦係数の路面での直進走行またはカーブ走行が確認されるまで保持される。高摩擦係数は、例えば自動車の高い横加速度を介して判定可能である。
【００２１】
カーブ外側の駆動輪の滑りしきい値は、動作モード「低摩擦係数カーブ」では好適には前輪駆動の自動車の場合は、１．５ｋｍ／時〜２ｋｍ／時の値に、また後輪駆動の自動車の場合は、１ｋｍ／時〜１．５ｋｍ／時の値に調整される。
【００２２】
【発明の実施の形態】
次に本発明の実施形態を、添付図面を参照して詳細に説明する。
図１は中央の制御ユニット１、およびカーブおよび摩擦係数検知装置３、４を有する駆動滑り制御（ＡＲＳ）装置を示している。
【００２３】
カーブ走行の検知はこの場合、非駆動輪の速度差を評価することによって行われる。摩擦係数の検出は、例えば横加速度センサを使用して実施することができる。
【００２４】
車輪スリップを判定するため、制御ユニット１には更に駆動輪の速度ｖが送られる。駆動輪の１つが滑りしきい値を超えると、スリップした駆動輪は、ホイールブレーキ２によって制動される。
【００２５】
その際にＡＲＳ装置は、低摩擦係数の走行路でのカーブ走行時に、カーブ外側の駆動輪の滑りしきい値がカーブ内側の車輪の滑りしきい値とは独立して低下され、カーブ内側の車輪の値よりも低い値に調整されるように構成されている。基本的に、カーブ外側の車輪の滑りしきい値が高感度に調整される程、走行路の静摩擦係数は低いとされる。
【００２６】
図２は、このような駆動滑り制御方法の過程をフローチャートで示している。
その際に先ず第１のステップ５で、自動車がカーブ走行状態（ｒ）にあるか否かが判定され、ステップ６で自動車の摩擦係数（μ）が判定される。
【００２７】
ステップ７で、しきい値（ｓｗ）との比較で自動車が低摩擦係数の走行路でカーブ走行状態にあることが確認されると（ｒ，μ<ｓｗ）、ステップ８で、カーブ外側の車輪の滑りしきい値（λ）がカーブ内側の車輪の値よりも低い値に下げられる。駆動輪が個々に設定された滑りしきい値を超えると、その駆動輪は、ＡＳＲ制御ユニットによってホイールブレーキ２を用いて制動される。その際にステップ９で、カーブ外側の車輪のブレーキのブレーキ圧ｐの圧力発生勾配は、カーブ内側の車輪の圧力発生勾配よりも強く高められる。
【００２８】
それによって低摩擦係数の走行路でのカーブ走行時の車両安定性を大幅に改善することができる。
【図面の簡単な説明】
【図１】図１は、ＡＳＲ制御装置の概略図である。
【図２】図２は、本発明の実施形態による駆動滑り制御方法を説明するためのフローチャートである。
【符号の説明】
１  制御ユニット（ＡＳＲ）
２  ホイールブレーキ
３  カーブ検知装置
４  摩擦係数検知装置
５〜９  方法のステップ
【図１】
0004302417.tif 000002
【図２】
0004302417.tif 000003